(57)【要約】【課題】  Ｏ／Ｅモジュール毎に交換が可能となるメディアコンバータを提供することである。【解決手段】  上記課題は、Ｏ／Ｅ変換部を搭載した光モジュール（１）と、電子回路を搭載したメイン基板（２０）とを含むメディアコンバータであって、前記メイン基板（２０）と、前記光モジュール（１）とをコネクタ（２、１１）を介し電気的・機械的に接続するバックボード（１０）を備えた、ことを特徴とするメディアコンバータにて達成される。【選択図】  図１
2005079874.tif 000002
【特許請求の範囲】
【請求項１】
Ｏ／Ｅ変換部を搭載した光モジュールと、電子回路を搭載したメイン基板とを含むメディアコンバータであって、
前記メイン基板と、前記光モジュールとをコネクタを介し電気的・機械的に接続するバックボードを備えた、ことを特徴とするメディアコンバータ。
【請求項２】
請求項１記載のメディアコンバータであって、
前記バックボードに、各光モジュールが挿入される複数のスロットを備え、各スロットの位置に各コネクタを対応させ、当該スロットに装着される光モジュールが前記コネクタを介して前記メイン基板に接続されることを特徴とするメディアコンバータ。
【請求項３】
請求項１又は２記載のメディアコンバータであって、
前記光モジュールごとにつまみねじを備え、前記光モジュールを引抜き可能にすることを特徴とするメディアコンバータ。
【請求項４】
請求項１又は２記載のメディアコンバータであって、
前記光モジュールごとに発光ダイオードを具備し、前記発光ダイオードに通電し点灯させることにより、当該光モジュールの故障を検出することを特徴とするメディアコンバータ。
【発明の詳細な説明】
【技術分野】
【０００１】
本発明は、メディアコンバータに関し、詳しくは、局舎内に収容される集合型メディアコンバータ内のＯ／Ｅモジュール（光トランシーバ）の実装に関する。  
【背景技術】
【０００２】
近年、高速通信サ−ビスへの需要が高まり、光ファイバを利用して高速インターネットや広域ＬＡＮサービスを提供するメディアコンバータが注目されている。このメディアコンバータは、異なる伝送媒体（例えば、光ファイバーと銅線ケーブル）を接続し、信号を相互に変換する装置（光／電気信号変換装置）であり、各家庭と通信事業者を光ファイバで結ぶ手段として使われる。上記メディアコンバータは、例えば、ユーザ宅内に収容される単体型メディアコンバータと、通信事業者の局舎内に収容されるＦＴＴＨ（ファイバー・ツウ・ザ・ホーム）用集合型メディアコンバータとに大別され、集合型メディアコンバータと単体型メディアコンバータ間で信号の送受信が行われる。
【０００３】
前述したように集合型メディアコンバータは、光ファイバとメタルケーブルとの接続を行うとともに、光信号から電気信号へ、あるいは電気信号から光信号への変換を行う機能を備えている。このうち、受信した光信号を電気信号に変換するものとしてＯ／Ｅモジュールが、電気信号を光信号に変換するものとしてＥ／Ｏモジュールが備えられている。
【０００４】
図５は、従来の集合型メディアコンバータにおけるＯ／Ｅモジュールの実装構造を示す図である。同図で示されるように、従来の集合型メディアコンバータには、Ｏ／Ｅモジュール１４１〜１６４が２４ポート（一例）分装備されており、各Ｏ／Ｅモジュール１４１〜１６４が電気機器側の回路基板１２０（以下、メイン基板という）と半田付けされて接続されている。これら各Ｏ／Ｅモジュール１４１〜１６４とメイン基板１２０は、外装シャーシ（ケース）１１０に取り付けられる。
【０００５】
また、ケーブル固定部による光ケーブルの固定から、光モジュールの光コネクタによるケーブル側光ファイバのコネクタ接続可能な成端までを単独で行える成端ユニットにて、互いに区分けされた光ファイバ配線部と成端光ファイバ配線部とによって、ケーブル側光ファイバと成端光ファイバとを区分けして配線されるようにしたため、両光ファイバ間に絡まり等が生じる心配を解消した光配線盤が提案されている（例えば、特許文献１参照）。
【特許文献１】特開２００１−４８４９号公報
【発明の開示】
【発明が解決しようとする課題】
【０００６】
上記のように、従来の集合型メディアコンバータでは、各Ｏ／Ｅモジュール１４１〜１６４の実装は、メイン基板１２０に１モジュールづつ半田付けされて接続される。すなわち、各Ｏ／Ｅモジュール１４１〜１６４はメイン基板１２０と一体化されていることとなり、１つのＯ／Ｅモジュールが故障した場合であっても、該当のＯ／Ｅモジュールのみを取り外すことは難しく、装置（メディアコンバータ）ごとに交換しなければならない。このため、保守時のＯ／Ｅモジュール交換の作業能率が上がらないという問題が生じていた。
【０００７】
また、装置交換を行った場合、故障のＯ／Ｅモジュール以外のＯ／Ｅモジュールを利用して正常に通信を行っていた他のユーザに迷惑をかけてしまうという問題点を有している。
【０００８】
本発明は、上記のような問題点に鑑みてなされたもので、その課題とするところは、Ｏ／Ｅモジュール毎に交換が可能となるメディアコンバータを提供することである。
【課題を解決するための手段】
【０００９】
上記課題を解決するため、本発明は、請求項１に記載されるように、Ｏ／Ｅ変換部を搭載した光モジュールと、電子回路を搭載したメイン基板とを含むメディアコンバータであって、前記メイン基板と、前記光モジュールとをコネクタを介し電気的・機械的に接続するバックボードを備えた、ことを特徴としている。
【００１０】
また、本発明の請求項２によれば、前記メディアコンバータであって、前記バックボードに、各光モジュールが挿入される複数のスロットを備え、各スロットの位置に各コネクタを対応させ、当該スロットに装着される光モジュールが前記コネクタを介して前記メイン基板に接続されることを特徴としている。
【００１１】
また、本発明の請求項３によれば、前記メディアコンバータであって、前記光モジュールごとにつまみねじを備え、前記光モジュールを引抜き可能にすることを特徴としている。
【００１２】
また、本発明の請求項４によれば、前記メディアコンバータであって、前記光モジュールごとに発光ダイオードを具備し、前記発光ダイオードに通電し点灯させることにより、当該光モジュールの故障を検出することを特徴としている。
【００１３】
上記本発明によれば、メイン基板と光モジュールがバックボードを介してコネクタに接続されるため、Ｏ／Ｅモジュール単品での交換が可能となる。
【発明の効果】
【００１４】
以上説明したように、本発明によれば、メイン基板と各Ｏ／Ｅモジュールがバックボードを介して電気コネクタに接続されるため、各Ｏ／Ｅモジュール単品での交換が可能となる。
【００１５】
また、メイン基板の電源がＯＮ状態のままでも、Ｏ／Ｅモジュールの交換が可能な仕様となっているため、Ｏ／Ｅモジュールの障害発生時には、装置全体を停止することなく、該当のＯ／Ｅモジュールのみ交換を行うことができる。その結果、正常動作中のＯ／Ｅモジュールまで交換していた従来と比して、他のユーザに迷惑をかけないで保守時の作業能率を向上させることができる。
【発明を実施するための最良の形態】
【００１６】
以下、本発明の実施の形態を、図１を参照して説明する。本発明に係るメディアコンバータは、Ｏ／Ｅモジュールの挿脱方向前後にコネクタを配設したバックボードを設け、Ｏ／Ｅモジュールをそのバックボードのコネクタに装着する構成をとる。
【００１７】
図１は、上記バックボードの斜視図を示している。同図において、Ｏ／Ｅモジュール１に実装された電気コネクタ２は、バックボード１０に実装された電気コネクタ１１に嵌合接続される。そして、バックボード１０の裏面に実装されたコネクタはメイン基板２０に実装されたコネクタと嵌合接続される（図示省略）。そして、Ｏ／Ｅモジュールが必要とする電力は、メディアコンバータ本体に設けられた電源装置からコネクタを通じて供給される。
【００１８】
図２は、本実施形態に係るＯ／Ｅモジュールの概略図である。同図において、このＯ／Ｅモジュール１は、バックボードに実装されたコネクタと接続するためのコネクタ２と、光信号を入力するＳＣコネクタ３と、モジュール抜き差し用のつまみ部４と、故障検出用のＬＥＤ（発光ダイオード）５が設けられている。このＯ／Ｅモジュール１は故障検出時に、上記ＬＥＤ５に通電し点灯させることにより、Ｏ／Ｅモジュールの故障を保守者に伝える機能を備える。
【００１９】
図３は、図２に示すＯ／Ｅモジュールの実装構造の一例を示す図である。同図で示されるように、各Ｏ／Ｅモジュール８１〜１０４（本例では、２４ポート分）は、バックボードに実装されたポート毎の電気コネクタと対をなして嵌合接続される。
【００２０】
図４は、バックボードに実装された電気コネクタの配置例を示す図である。同図が示すように、Ｏ／Ｅモジュールのスロット（ポート）ごとに電気コネクタ１１１〜１３４が配置される。このようなコネクタ配置とすることで、各Ｏ／Ｅモジュール毎の取り出しが容易となる。
【００２１】
このように本実施形態では、メイン基板と各Ｏ／Ｅモジュールがバックボードを介して電気コネクタに接続されるため、各Ｏ／Ｅモジュール単品での交換が可能となる。
【００２２】
また、メイン基板の電源がＯＮ状態のままでも、Ｏ／Ｅモジュールの交換が可能な仕様となっているため、Ｏ／Ｅモジュールの障害発生時には、装置全体を一度停止しなくても、該当のＯ／Ｅモジュールのみ交換することができる。すなわち、他のユーザのポートに影響を与えずに交換できるので、他のユーザに迷惑をかけないで保守時の作業能率を向上させることができる。
【図面の簡単な説明】
【００２３】
【図１】本実施形態に係るバックボードの斜視図である。
【図２】本実施形態に係るＯ／Ｅモジュールの概略図である。
【図３】図２に示すＯ／Ｅモジュールの実装構造の一例を示す図である
【図４】バックボードに実装された電気コネクタの配置例を示す図である。
【図５】従来の集合型メディアコンバータにおけるＯ／Ｅモジュールの実装構造を示す図である。
【符号の説明】
【００２４】
１、８１〜１０４、１１１〜１３４、１４１〜１６４  Ｏ／Ｅモジュール
２、１１  電気コネクタ
３  ＳＣコネクタ
４  引き出しつまみ部
５  ＬＥＤ
１０、７０  バックボード
２０、６０、１２０  メイン基板
５０、１１０  外装シャーシ
【図１】
2005079874.tif 000003
【図２】
2005079874.tif 000004
【図３】
2005079874.tif 000005
【図４】
2005079874.tif 000006
【図５】
2005079874.tif 000007